(57)【要約】【課題】人感センサの人体検知信号に基づいて照明負荷を所定時間点灯させる通常モード、又は、人体検知信号に基づいて威嚇手段により威嚇動作を行わせる留守モードの何れかに動作モードを切替可能な留守モード機能付感熱自動スイッチを提供する。【解決手段】感熱自動スイッチ１は、検知エリア内の人体を検知する焦電型の人感センサ１１と、動作モードを通常モード又は留守モードの何れかに切り替えるモード切替信号が入力されるモード切替端子Ｔ５，Ｔ６と、モード切替信号に応じて動作モードが切り替えられ、通常モードで動作中は人感センサ１１から入力される人体検知信号に基づいて照明負荷２を所定時間点灯させ、留守モードで動作中は人感センサから入力される人体検知信号に基づいて、照明負荷２や動作表示灯１６を点滅させたり、警報音発生部１７から警報音を出力させるなどの威嚇動作を行わせる信号処理部１３とを備える。【選択図】図１
2007200046.tif 000002
【特許請求の範囲】
【請求項１】
人体から放射される熱線を検出することによって、検知エリア内の人体を検知する焦電型の人感センサと、動作モードを通常モード又は留守モードの何れかに切り替えるモード切替信号が入力されるモード切替端子と、前記モード切替信号に応じて動作モードが切り替えられ、通常モードで動作中は人感センサから入力される人体検知信号に基づいて照明負荷を所定時間点灯させ、留守モードで動作中は人感センサから入力される人体検知信号に基づいて、光又は音の内の少なくとも何れか一方を用いて不審者を威嚇する威嚇手段により威嚇動作を行わせる制御手段とを備えて成ることを特徴とする留守モード機能付感熱自動スイッチ。
【請求項２】
前記留守モードで動作中に、前記制御手段は、前記人体検知信号が入力されると、前記照明負荷を点滅させる動作、警報音をスピーカから出力させる動作、前記照明負荷の制御状態を表示するための動作表示灯を点滅させる動作、及び、威嚇動作を行う外部の威嚇装置に対して無電圧接点のオン／オフにより動作開始信号を出力する動作を行うことを特徴とする請求項１記載の留守モード機能付感熱自動スイッチ。
【請求項３】
前記留守モードにおいて、昼間の外乱ノイズによる前記人感センサの誤検出を抑制する誤検出抑制手段を備え、周囲の照度を検出する明るさセンサの検出照度が所定の基準値よりも明るい場合は、前記検出照度が前記基準値よりも暗い場合に比べて前記人感センサの検知感度を低下させる動作、前記検出照度が前記基準値よりも明るい場合に、前記人感センサより人体検知信号が所定回数以上入力されると前記制御手段により前記威嚇手段を用いて威嚇動作を行わせる動作、又は、前記検出照度が前記基準値よりも明るい場合に、所定時間内に前記人感センサから人体検知信号が所定回数以上入力されると前記制御手段により前記威嚇手段を用いて威嚇動作を行わせる動作の内、何れかの動作を前記誤検出抑制手段が行うことで誤検出を抑制することを特徴とする請求項１又は２記載の留守モード機能付感熱自動スイッチ。
【請求項４】
前記留守モードにおいて、昼間の外乱ノイズによる前記人感センサの誤検出を抑制する誤検出抑制手段を備え、前記人感センサとして、互いに感度が異なり、人体に対応した高さ位置では各々の検知エリアが重なると共に、人体よりも背の低い小動物に対応した高さ位置では各々の検知エリアが重ならないように検知エリアが設定された複数のセンサを用い、前記誤検出抑制手段は、複数の前記センサから共に人体検知信号が入力された場合に、前記制御手段により前記威嚇手段を用いて威嚇動作を行わせることを特徴とする請求項１又は２記載の留守モード機能付感熱自動スイッチ。
【請求項５】
前記モード切替端子に、操作に応じてモード切替信号を発生するモード設定スイッチを接続するとともに、当該モード設定スイッチの操作部に、留守モードの切替用であることを表示する表示手段を設けたことを特徴とする請求項１乃至４の何れかに記載の留守モード機能付感熱自動スイッチ。
【請求項６】
前記モード切替端子にモード設定スイッチを介して電源を接続し、前記モード設定スイッチのオン時に電圧信号よりなるモード切替信号をモード切替端子に印加させるとともに、前記モード設定スイッチに、留守モード切替時にモード設定スイッチを流れる電流により点灯して留守モードの設定状態を点灯表示する点灯表示手段を設けたことを特徴とする請求項１乃至４の何れかに記載の留守モード機能付感熱自動スイッチ。
【請求項７】
前記モード切替端子に、予め設定された時間帯にモード切替信号を出力する外部タイマを接続してあり、前記外部タイマの器体前面に、留守モードで動作する時間帯を設定するタイマ時刻設定部と、押操作に応じて動作モードを留守モード又は通常モードに交互に切り替えるための手動操作部とを配置するとともに、前記タイマ時刻設定部で設定された時間帯に動作モードを留守モードに切り換えるモード切替信号を出力するタイマ回路部と、タイマ回路部から入力されたモード切替信号をモード切替端子に出力するとともに、手動操作部が押操作されると動作モードを通常モード又は留守モードに強制的に切り替えるモード切替信号をモード切替端子に出力する信号処理部とを備え、前記器体前面の略全体を覆う寸法に形成されてタイマ時刻設定部および手動操作部に対応する部位に開口を有し、前記器体の前面に回動自在に取着されたハンドル本体と、前記開口を露出させる位置と前記開口を覆う位置との間で開閉自在にハンドル本体に取着され、前記開口を覆う位置に移動させた状態で押操作に応じて裏面の突起で前記手動操作部を押動するハンドルカバーとを設けたことを特徴とする請求項１乃至４の何れかに記載の留守モード機能付感熱自動スイッチ。
【請求項８】
前記モード切替端子に、予め設定された時間帯にモード切替信号を出力する外部タイマを接続してあり、前記外部タイマの器体前面に、留守モードで動作する時間帯を設定するタイマ時刻設定部と、押操作に応じて動作モードを留守モード又は通常モードに交互に切り替えるための手動操作部とを配置するとともに、前記タイマ時刻設定部で設定された時間帯に動作モードを留守モードに切り換えるモード切替信号を出力するタイマ回路部と、タイマ回路部から入力されたモード切替信号をモード切替端子に出力するとともに、手動操作部が押操作されると動作モードを通常モード又は留守モードに強制的に切り替えるモード切替信号をモード切替端子に出力する信号処理部とを備え、前記器体前面の略全体を覆う寸法に形成されてタイマ時刻設定部に対応する部位に開口を有し、前記器体の前面に回動自在に取着され、回動動作に応じて裏面の突起で前記手動操作部を押動するハンドル本体と、前記開口を露出させる位置と前記開口を覆う位置との間で開閉自在にハンドル本体に取着されたハンドルカバーとを設けたことを特徴とする請求項１乃至４の何れかに記載の留守モード機能付感熱自動スイッチ。
【請求項９】
前記モード切替端子に、スイッチ操作に応じてモード切替信号を発生するモード設定スイッチが接続され、当該モード設定スイッチは、スイッチ本体の機能面に、留守モードの設定／解除を行うための第１の押釦スイッチの押釦と、他の負荷をオン／オフするための第２の押釦スイッチの押釦と、留守モードの設定時に点灯する点灯表示部とを配置し、スイッチ本体の機能面に回動自在に取着されて、回動動作に応じて裏面で前記第２の押釦スイッチの押釦を押操作するハンドル本体を備え、当該ハンドル本体には、前記第１の押釦スイッチの押釦と前記点灯表示部とを露出させる開口を形成するとともに、前記開口を開閉自在に覆うハンドルカバーが設けられたことを特徴とする請求項１乃至４の何れかに記載の留守モード機能付感熱自動スイッチ。
【請求項１０】
スイッチ本体の機能面に回動自在に取着されたハンドル本体の押操作に応じて、前記照明負荷を消灯させる状態と、前記照明負荷を点灯させる状態とを交互に切り替えるとともに、前記ハンドル本体を所定時間内に２回連続押しする操作を行うと前記制御手段により前記照明負荷のオン／オフを制御させるスイッチ装置を設け、前記スイッチ本体の機能面に留守モードの設定／解除を行うための押釦スイッチの押釦を配置し、前記ハンドル本体には、前記押釦スイッチの押釦を露出させる開口を形成するとともに、前記開口を開閉自在に覆うハンドルカバーが設けられたことを特徴とする請求項１乃至４の何れかに記載の留守モード機能付感熱自動スイッチ。
【発明の詳細な説明】
【技術分野】
【０００１】
本発明は、留守モード機能付感熱自動スイッチに関するものである。
【背景技術】
【０００２】
従来より、玄関付近の外壁や軒天井に取り付けられ、人体の有無を検知する人感センサの検知信号に応じて、例えば軒天井に配設された照明負荷を点灯させる感熱自動スイッチが提供されている（例えば特許文献１参照）。
【特許文献１】特開２０００−１２２４０号公報（段落番号［００１９］−[００２１]、及び、第１図）
【発明の開示】
【発明が解決しようとする課題】
【０００３】
近年、住宅への侵入犯罪が増加する傾向にあり、防犯に対する関心は高まっているものの、警備会社との契約や高度なセキュリティシステムの導入には多額の費用がかかるため、一般の住宅への導入は進んでいない。
【０００４】
上述した従来の感熱自動スイッチでは、玄関付近に人が近付くと、玄関付近の照明負荷を点灯させるようになっているが、照明負荷が一定時間点灯するだけなので、不審者を威嚇する効果はあまり期待できなかった。そこで、上述の感熱自動スイッチとは別に、建物に近付いてきた人を人感センサにより検知して、防犯灯を点滅させることにより不審者を威嚇する威嚇機能付感熱自動スイッチを設置する必要があり、威嚇機能を持たない感熱自動スイッチと威嚇機能付感熱自動スイッチの両方を設置するため不経済であった。
【０００５】
また住宅への侵入犯罪は昼間の時間帯に多く発生しているが、昼間は周囲が明るいため、防犯灯を点滅させても周囲の明るさに紛れてしまい、あまり威嚇効果が得られない可能性があった。
【０００６】
また昼間は外光などの外乱ノイズが多いため、人感センサの誤報が多くなる可能性が高く、誤報を抑制する必要があった。
【０００７】
本発明は上記問題点に鑑みて為されたものであり、その目的とするところは、人感センサの人体検知信号に基づいて照明負荷を所定時間点灯させる通常モード、又は、人体検知信号に基づいて威嚇手段により威嚇動作を行わせる留守モードの何れかに動作モードを切替可能な留守モード機能付感熱自動スイッチを提供することにある。また請求項２の発明の目的とするところは、上記の目的に加えて、昼間でも有効な威嚇効果が得られる留守モード機能付感熱自動スイッチを提供することにある。さらに請求項３、４の発明の目的とするところは、上記の目的に加えて、昼間に人感センサの誤検知が発生するのを抑制した留守モード機能付感熱自動スイッチを提供することにある。
【課題を解決するための手段】
【０００８】
上記目的を達成するために、請求項１の発明は、人体から放射される熱線を検出することによって、検知エリア内の人体を検知する焦電型の人感センサと、動作モードを通常モード又は留守モードの何れかに切り替えるモード切替信号が入力されるモード切替端子と、モード切替信号に応じて動作モードが切り替えられ、通常モードで動作中は人感センサから入力される人体検知信号に基づいて照明負荷を所定時間点灯させ、留守モードで動作中は人感センサから入力される人体検知信号に基づいて、光又は音の内の少なくとも何れか一方を用いて不審者を威嚇する威嚇手段により威嚇動作を行わせる制御手段とを備えて成ることを特徴とする。
【０００９】
請求項２の発明は、請求項１の発明において、留守モードで動作中に、制御手段は、人体検知信号が入力されると、照明負荷を点滅させる動作、警報音をスピーカから出力させる動作、照明負荷の制御状態を表示するための動作表示灯を点滅させる動作、及び、威嚇動作を行う外部の威嚇装置に対して無電圧接点のオン／オフにより動作開始信号を出力する動作を行うことを特徴とする。
【００１０】
請求項３の発明は、請求項１又は２の発明において、留守モードにおいて、昼間の外乱ノイズによる人感センサの誤検出を抑制する誤検出抑制手段を備え、周囲の照度を検出する明るさセンサの検出照度が所定の基準値よりも明るい場合は、検出照度が基準値よりも暗い場合に比べて人感センサの検知感度を低下させる動作、検出照度が基準値よりも明るい場合に、人感センサより人体検知信号が所定回数以上入力されると制御手段により威嚇手段を用いて威嚇動作を行わせる動作、又は、検出照度が基準値よりも明るい場合に、所定時間内に人感センサから人体検知信号が所定回数以上入力されると制御手段により威嚇手段を用いて威嚇動作を行わせる動作の内、何れかの動作を誤検出抑制手段が行うことで誤検出を抑制することを特徴とする。
【００１１】
請求項４の発明は、請求項１又は２の発明において、留守モードにおいて、昼間の外乱ノイズによる人感センサの誤検出を抑制する誤検出抑制手段を備え、人感センサとして、互いに感度が異なり、人体に対応した高さ位置では各々の検知エリアが重なると共に、人体よりも背の低い小動物に対応した高さ位置では各々の検知エリアが重ならないように検知エリアが設定された複数のセンサを用い、誤検出抑制手段は、複数のセンサから共に人体検知信号が入力された場合に、制御手段により威嚇手段を用いて威嚇動作を行わせることを特徴とする。
【００１２】
請求項５の発明は、請求項１乃至４の何れかの発明において、モード切替端子に、操作に応じてモード切替信号を発生するモード設定スイッチを接続するとともに、当該モード設定スイッチの操作部に、留守モードの切替用であることを表示する表示手段を設けたことを特徴とする。
【００１３】
請求項６の発明は、請求項１乃至４の何れかの発明において、モード切替端子にモード設定スイッチを介して電源を接続し、モード設定スイッチのオン時に電圧信号よりなるモード切替信号をモード切替端子に印加させるとともに、モード設定スイッチに、留守モード切替時にモード設定スイッチを流れる電流により点灯して留守モードの設定状態を点灯表示する点灯表示手段を設けたことを特徴とする。
【００１４】
請求項７の発明は、請求項１乃至４の何れかの発明において、モード切替端子に、予め設定された時間帯にモード切替信号を出力する外部タイマを接続してあり、外部タイマの器体前面に、留守モードで動作する時間帯を設定するタイマ時刻設定部と、押操作に応じて動作モードを留守モード又は通常モードに交互に切り替えるための手動操作部とを配置するとともに、タイマ時刻設定部で設定された時間帯に動作モードを留守モードに切り換えるモード切替信号を出力するタイマ回路部と、タイマ回路部から入力されたモード切替信号をモード切替端子に出力するとともに、手動操作部が押操作されると動作モードを通常モード又は留守モードに強制的に切り替えるモード切替信号をモード切替端子に出力する信号処理部とを備え、器体前面の略全体を覆う寸法に形成されてタイマ時刻設定部および手動操作部に対応する部位に開口を有し、器体の前面に回動自在に取着されたハンドル本体と、開口を露出させる位置と開口を覆う位置との間で開閉自在にハンドル本体に取着され、開口を覆う位置に移動させた状態で押操作に応じて裏面の突起で手動操作部を押動するハンドルカバーとを設けたことを特徴とする。
【００１５】
請求項８の発明は、請求項１乃至４の何れかの発明において、モード切替端子に、予め設定された時間帯にモード切替信号を出力する外部タイマを接続してあり、外部タイマの器体前面に、留守モードで動作する時間帯を設定するタイマ時刻設定部と、押操作に応じて動作モードを留守モード又は通常モードに交互に切り替えるための手動操作部とを配置するとともに、タイマ時刻設定部で設定された時間帯に動作モードを留守モードに切り換えるモード切替信号を出力するタイマ回路部と、タイマ回路部から入力されたモード切替信号をモード切替端子に出力するとともに、手動操作部が押操作されると動作モードを通常モード又は留守モードに強制的に切り替えるモード切替信号をモード切替端子に出力する信号処理部とを備え、器体前面の略全体を覆う寸法に形成されてタイマ時刻設定部に対応する部位に開口を有し、器体の前面に回動自在に取着され、回動動作に応じて裏面の突起で手動操作部を押動するハンドル本体と、開口を露出させる位置と開口を覆う位置との間で開閉自在にハンドル本体に取着されたハンドルカバーとを設けたことを特徴とする。
【００１６】
請求項９の発明は、請求項１乃至４の何れかの発明において、モード切替端子に、スイッチ操作に応じてモード切替信号を発生するモード設定スイッチが接続され、当該モード設定スイッチは、スイッチ本体の機能面に、留守モードの設定／解除を行うための第１の押釦スイッチの押釦と、他の負荷をオン／オフするための第２の押釦スイッチの押釦と、留守モードの設定時に点灯する点灯表示部とを配置し、スイッチ本体の機能面に回動自在に取着されて、回動動作に応じて裏面で第２の押釦スイッチの押釦を押操作するハンドル本体を備え、当該ハンドル本体には、第１の押釦スイッチの押釦と点灯表示部とを露出させる開口を形成するとともに、開口を開閉自在に覆うハンドルカバーが設けられたことを特徴とする。
【００１７】
請求項１０の発明は、請求項１乃至４の何れかの発明において、スイッチ本体の機能面に回動自在に取着されたハンドル本体の押操作に応じて、照明負荷を消灯させる状態と、照明負荷を点灯させる状態とを交互に切り替えるとともに、ハンドル本体を所定時間内に２回連続押しする操作を行うと制御手段により照明負荷のオン／オフを制御させるスイッチ装置を設け、スイッチ本体の機能面に留守モードの設定／解除を行うための押釦スイッチの押釦を配置し、ハンドル本体には、押釦スイッチの押釦を露出させる開口を形成するとともに、開口を開閉自在に覆うハンドルカバーが設けられたことを特徴とする。
【発明の効果】
【００１８】
請求項１の発明によれば、モード切替端子にモード切替信号を入力することで、制御手段の動作モードを通常モード又は留守モードの何れかに切り替えることができ、通常モードでは人感センサの人体検知信号に基づいて照明負荷を所定時間点灯させ、留守モードでは人体検知信号に基づいて威嚇手段により威嚇動作を行わせているので、１台の感熱自動スイッチの動作モードを切り替えることで、照明負荷の点灯制御、又は、威嚇手段による威嚇動作の何れかを行わせることができる。
【００１９】
請求項２の発明によれば、留守モードで動作中に人体検知信号が入力されると、制御手段は、照明負荷を点滅させる動作に加えて、警報音を出力させる動作と、動作表示灯を点灯させる動作と、外部の威嚇装置に動作開始信号を出力させる動作とを行っているので、昼間に周囲の明るさに紛れて照明負荷の点滅が目立たない場合にも、警報音や動作表示灯の点滅や外部の威嚇装置の威嚇動作により、不審者を威嚇する効果を高めることができる。
【００２０】
請求項３の発明によれば、明るさセンサの検出照度が基準値よりも明るい場合には、人感センサの検知感度を下げるか、人体検知信号が所定回数以上入力された場合のみ威嚇動作を行わせるか、或いは、所定時間内に人体検知信号が所定回数以上入力された場合のみ威嚇動作を行わせているので、昼光などの外乱ノイズの影響による誤検出を抑制することができる。
【００２１】
請求項４の発明によれば、互いに感度が異なり、人体に対応した高さ位置では各々の検知エリアが重なり、且つ、小動物に対応した高さ位置では各々の検知エリアが重ならないように検知エリアが設定された複数のセンサを用い、複数のセンサから共に人体検知信号が入力された場合のみ、制御手段が威嚇動作を行わせることで、昼光などの外乱ノイズの影響による誤検出や小動物の誤検出を抑制することができる。
【００２２】
請求項５の発明によれば、モード切替信号を発生するモード設定スイッチに表示手段を設けることで、留守モードを設定するためのスイッチであることを容易に識別できる。
【００２３】
請求項６の発明によれば、点灯表示手段が点灯しているか否かで、留守モードに設定されているか否かを容易に判別することができる。
【００２４】
請求項７の発明によれば、外部タイマのタイマ回路部が、タイマ時刻設定部を用いて予め設定された時間帯にモード切替信号を発生しているので、その都度留守モードの設定操作を行わなくても、予め設定した時間帯に感熱自動スイッチを留守モードで動作させることができる。しかも、ハンドルカバーを閉じれば、タイマ設定部を見ることができないので、家人の在宅中に外部の人間が宅内を下見したとしても、外部タイマを用いて予め設定された時間帯に留守モードに切り替えていることを外部の人間に悟られにくくできる。さらに、ハンドルカバーを開けた状態ではハンドル本体の開口から露出する手動操作部を直接操作でき、またハンドルカバーを閉じた状態ではハンドルカバーを押動すると、ハンドル本体と共にハンドルカバーが回動するので、ハンドルカバーの裏面の突起で手動操作部を押動できるから、ハンドルカバーの開閉に関係なく、留守モード又は通常モードの切替操作を手動で行うこともできる。
【００２５】
請求項８の発明によれば、外部タイマのタイマ回路部が、タイマ時刻設定部を用いて予め設定された時間帯にモード切替信号を発生しているので、その都度留守モードの設定操作を行わなくても、予め設定した時間帯に感熱自動スイッチを留守モードで動作させることができる。しかも、ハンドルカバーを閉じれば、タイマ設定部を見ることができないので、家人の在宅中に外部の人間が宅内を下見したとしても、外部タイマを用いて予め設定された時間帯に留守モードに切り替えていることを外部の人間に悟られにくくできる。さらにハンドル本体を押動すると、ハンドル本体が回動して、ハンドル本体の裏面の突起で手動操作部を押動できるから、留守モード又は通常モードの切替操作を手動で行うこともできる。
【００２６】
請求項９の発明によれば、ハンドル本体を押操作すると、ハンドル本体の裏面で第２の押釦スイッチの押釦が押操作されるから、他の負荷をオン／オフすることができ、且つ、ハンドルカバーを開けると、ハンドル本体の開口を通して第１の押釦スイッチの押釦と点灯表示部とが露出するから、第１の押釦スイッチの押操作によって留守モードの設定又は解除を行えるとともに、点灯表示部の表示から留守モードの設定状態を確実に把握することができる。さらに、ハンドルカバーを閉じた状態では第１の押釦スイッチの押釦や点灯表示部がハンドルカバーによって覆われるので、家人の在宅中に外部の人間が宅内を下見したとしても、第１の押釦スイッチの押釦や点灯表示部が外部の人間の目に触れないため、留守モードの設定が可能なことを外部の人間に悟られにくくできる。
【００２７】
請求項１０の発明によれば、スイッチ装置のスイッチ本体に設けたハンドル本体の押操作に応じて、照明負荷を消灯させる状態と、点灯させる状態と、制御手段により照明負荷のオン／オフを制御させる状態とを切り替えることができ、且つ、ハンドル本体に設けたハンドルカバーを開くと、ハンドル本体の開口を通して押釦スイッチの押釦が露出するから、押釦スイッチの押操作によって留守モードの設定又は解除を行うことができる。さらに、ハンドルカバーを閉じた状態では押釦スイッチの押釦がハンドルカバーによって覆われるので、家人の在宅中に外部の人間が宅内を下見したとしても、押釦スイッチの押釦が外部の人間の目に触れないため、留守モードの設定が可能なことを外部の人間に悟られにくくできる。
【発明を実施するための最良の形態】
【００２８】
以下に本発明の実施の形態を図面に基づいて説明する。
【００２９】
（実施形態１）
図１は本発明に係る留守モード機能付感熱自動スイッチ（以下、感熱自動スイッチと略称す。）のブロック図であり、この感熱自動スイッチ１は、例えば玄関付近の外壁（所謂屋側）や軒天井に取り付けられ、人体の有無を検知する後述の人感センサ１１や周囲の明るさを検知する照度センサ１２の検知信号に応じて、軒天井に配設された照明負荷２を点灯させるために用いられる。
【００３０】
この感熱自動スイッチ１は、商用電源ＡＣが接続される電源端子Ｔ１，Ｔ２と、照明負荷２の制御モードを切モード、連続モード又は自動モードの内の何れかに選択的に切り替える制御モード切替スイッチ３と照明負荷２との直列回路が接続される負荷接続端子Ｔ３，Ｔ４と、自動モードでの動作を通常モード又は留守モードの何れかに切り替える留守モード設定スイッチ４が接続されるモード切替端子（留守モード端子）Ｔ５，Ｔ６と、無電圧接点信号を出力するための接点出力用端子Ｔ７，Ｔ８とを備えており、一方の電源端子Ｔ２と負荷接続端子Ｔ３とは感熱自動スイッチ１の内部で短絡されている。ここで、切モードとは感熱自動スイッチ１の出力と無関係に照明負荷２を強制的に消灯させるモード、連続モードとは感熱自動スイッチ１の出力と無関係に照明負荷２を強制的に点灯させるモード、自動モードとは感熱自動スイッチ１の出力に基づいて照明負荷２を自動的に点灯又は消灯させるモードである。また通常モードとは、明るさセンサ１２の検出照度が所定の基準値よりも暗い場合に、人感センサ１１から人体検知信号が入力されると、照明負荷２を所定時間点灯させる制御モードであり、留守モードとは、明るさセンサ１２の検知結果に関係無く、人感センサ１１から人体検知信号が入力されると、光又は音の内の少なくとも何れか一方を用いて不審者を威嚇する威嚇手段（照明負荷２、動作表示灯１６、警報音発生部１７および外部の威嚇装置など）により威嚇動作を行わせる制御モードである。
【００３１】
感熱自動スイッチ１は、図１のブロック図に示すように、人体から放射される熱線を検出することによって、検知エリア内の人体を検知する焦電型赤外線センサよりなる人感センサ１１と、周囲の明るさを検出するフォトダイオードのような明るさセンサ１２と、モード切替端子Ｔ５，Ｔ６を通じて入力されるモード切替信号に基づいて制御モードが切り換えられるとともに、人感センサ１１および明るさセンサ１２の検知信号に基づいて照明負荷２を点灯又は消灯させる制御信号を発生する制御手段としての信号処理部１３と、一方の負荷接続端子Ｔ４と電源端子Ｔ１との間（つまり商用電源ＡＣと照明負荷２と制御モード切替スイッチ３との直列回路の両端間）に接続されるトライアックのようなスイッチ素子（図示せず）を有し、信号処理部１３から入力される制御信号に基づいて上記スイッチ素子を開閉駆動することで照明負荷２を点灯又は消灯させるとともに、接点出力用端子Ｔ７，Ｔ８間に接続された無電圧接点１５を開閉駆動する出力駆動部１４と、信号処理部１３により点灯状態が制御される動作表示灯１６と、信号処理部１３から制御信号が入力されると所定の警報音をスピーカから発生させる警報音発生部１７と、電源端子Ｔ１，Ｔ２を通じて供給される商用電源ＡＣを整流、平滑して内部の動作電源を得る電源回路１８とを備えている。
【００３２】
本実施形態の感熱自動スイッチ１は、建物の屋側に取り付けられる壁取付型のスイッチであり、図２（ａ）に示すように外壁に取着されるプレート状のボディ２１の前面に、直方体状に膨出する膨出部２２を設けてある。膨出部２２の内部には上述の回路を形成した回路基板が収納されるとともに、膨出部２２の下側面に赤外光に対して透光性を有するドーム状のレンズ２３が設けられ、このレンズ２３を通して膨出部２２の内部に収納された人感センサ１１に熱線が集光されるようになっている。またレンズ２３は可視光に対しても透光性を有しており、レンズ２３を通して内部の明るさセンサ１２に可視光が入射するようになっている。また膨出部２２の上部には可視光を透過する透光部２４が設けられ、膨出部２２の内部であって透光部２４に対応する部位には上述の動作表示灯１６が収納されている。
【００３３】
なお本実施形態では壁取付型のスイッチを例に説明を行ったが、図２（ｂ）に示すような天井取付型のスイッチでも良い。天井取付型の感熱自動スイッチ１は、天井材に設けた取付用孔に下方より挿入されるボディ２５を備えている。このボディ２５の下面には、上面が天井材の下面に当接するフランジ部２６を設けてあり、フランジ部２６の上面にはフランジ部２６を天井材に固定するための従来周知の取付金具２７が取着されている。またフランジ部２６の下側面には、赤外光に対して透光性を有するドーム状のレンズ２８が取着され、このレンズ２８を通してボディ２５の内部に収納された人感センサ１１に熱線が集光されるようになっている。またレンズ２８は可視光に対しても透光性を有しており、レンズ２８を通して内部の明るさセンサ１２に可視光が入射するとともに、レンズ２８の内側に配置された動作表示灯１６の発光を外部より目視できるようになっている。またフランジ部２６の下側面には化粧カバー２９が被着されており、化粧カバー２９の中央部の丸孔を通してレンズ２８が下面側に露出している。一方、取付金具２７は、一側面が開口した角柱状の本体部２７ａと、本体部２７ａの上下面に設けた挿通孔にねじ部を通して、頭部をフランジ部２６の下側面に露出させた締付ねじ２７ｂと、基部に設けたねじ部に締付ねじ２７ｂが螺合し、先端側が本体部２７ａの側面の開口から外部に突出する挟持片２７ｃとを備えている。而して、この感熱自動スイッチ１を天井材に取り付けるに当たっては、挟持片２７ｃを本体部２７ａの側面に設けた切欠２７ｄに納めた状態で、天井材の取付用孔にボディ２５を下側から挿入して、フランジ部２６の上面を天井材の下面に当接させた後、締付ねじ２７ｂを締め込むと、挟持片２７ｃが切欠２７ｄから外に出て、本体部２７ａの開口内をフランジ部２６に近付く向きに移動するので、挟持片２７ｃとフランジ部２６との間に天井材が挟持されて、ボディ２５を天井材に取着することができるようになっている。
【００３４】
また図３（ａ）は、感熱自動スイッチ１と共に用いられる制御モード切替スイッチ３及び留守モード設定スイッチ４を、埋込配線器具用に規格化された取付枠３０に取り付けた状態を示しており、これらのスイッチ３，４は例えば建物内部の玄関付近の壁などに取付枠３０を用いて埋込配設されている。制御モード切替スイッチ３の器体は、取付枠３０に短幅方向に並べて３個まで取着可能な単位寸法（１個モジュール寸法）の配線器具の２個分の寸法（２個モジュール寸法）に形成され、留守モード設定スイッチ４の器体は上述の１個モジュール寸法に形成されている。
【００３５】
制御モード切替スイッチ３は、内蔵する接点部３１の切替操作を行う回転ダイヤル３２を器体の前面に回転自在に設けてあり、この回転ダイヤル３２の回転位置に応じて接点部３１の切替状態が変化し、回転ダイヤル３２のマーク３２ａを器体の前面に表示された「切」「自動」「連続入」の位置に合わせると、接点部３１がそれぞれ「切モード」、「自動モード」、「連続モード」の切替位置に切り替えられるようになっている。
【００３６】
また留守モード設定スイッチ４はプッシュオン／プッシュオフ型の押釦スイッチからなり、この押釦スイッチの押釦を器体の前面に露設してある。また器体の前面には操作ハンドル３３が回動自在に枢支されており、操作ハンドル３３の一端側（右側部）を押操作すると、操作ハンドル３３が回動して、裏面で上記押釦を押動するようになっている。また操作ハンドル３３は、右側部の上下方向中央部に透明部３３ｂを設けてあり、裏面側に取り付けられたネームカードの表示（例えばスイッチの用途を示す「留守モード」の文字）を操作ハンドル３３の前面より視認可能に形成してある。また操作ハンドル３３の左側部には窓孔３３ａが形成されるとともに、操作ハンドル３３の裏面側には窓孔３３ａに対応する部位に、操作ハンドル３３の押操作に応じて上側又は下側へ交互に移動することで、窓孔３３ａから露出する部位が切り替わる表示部材３４を配置してある。なお、操作ハンドル３３の押操作に応じて、留守モード設定スイッチ４が留守モードの設定位置に切り替えられた状態で、窓孔３３ａから露出する表示部材３４の位置には下地の色を黄色や蛍光色などの目立つ色として、例えば「留守モード」のような文字を表示してあり、表示部材３４の表示から動作モードの切替状態を容易に判別できるようになっている。
【００３７】
次に、制御モード切替スイッチ３の回転ダイヤル３２を「自動」の位置に切り替えた場合の動作について説明を行う。この場合は感熱自動スイッチ１により照明負荷２の点灯／消灯が制御されており、先ず、留守モード設定スイッチ４から入力されるモード設定信号によって感熱自動スイッチ１（すなわち信号処理部１３）の動作モードが通常モードに設定された場合の動作について説明する。
【００３８】
通常モードでは、信号処理部１３は、明るさセンサ１２の検出した周囲照度が所定の基準値よりも暗く、且つ、人感センサ１１が人体を検知した場合のみ、照明負荷２を点灯させる制御信号を出力しており、出力駆動部１４は信号処理部１３から制御信号が入力されると、上述のスイッチ素子を導通させて、照明負荷２を所定時間点灯させる。また明るさセンサ１２の検出照度が上記基準値よりも明るい場合か、又は、人感センサ１１が人体を検知していない場合は、信号処理部１３が照明負荷２を消灯させる制御信号を出力し、出力駆動部１４がスイッチ素子をオフさせて、照明負荷２を消灯させる。
【００３９】
一方、留守モード設定スイッチ４から入力されるモード設定信号により信号処理部１３の動作モードを留守モードに設定した場合は、明るさセンサ１２の検出照度に関係無く、人感センサ１１から人体検知信号が入力されると、信号処理部１３は、スイッチ素子を所定周期で点滅させる制御信号を出力駆動部１４に出力して、出力駆動部１４によりスイッチ素子を周期的にオン／オフさせることで、照明負荷２を点滅させるとともに、無電圧接点１５を閉極させて防犯カメラ８や室内に設けたスピーカ７などの威嚇装置に接点信号を出力し、スピーカ７から警報音を出力させるなどして威嚇動作を行わせるとともに、防犯カメラ８を動作させる（図４参照）。また信号処理部１３では、人体検知時に感熱自動スイッチ１自体に設けた動作表示灯１６を点滅させるとともに、警報音発生部１７から警報音を出力させる。
【００４０】
このように本実施形態では、モード切替端子Ｔ５，Ｔ６に留守モード設定スイッチ４を接続し、この留守モード設定スイッチ４の切替操作に応じてモード切替信号を入力することで、信号処理部１３（感熱自動スイッチ１）の動作モードを通常モード又は留守モードの何れかに切り替えることができ、通常モードでは人感センサ１１の人体検知信号に基づいて照明負荷２を所定時間点灯させ、留守モードでは人体検知信号に基づいて光及び音による威嚇動作を行わせているので、１台の感熱自動スイッチ１の動作モードを切り替えることで、照明負荷２の点灯制御、又は、威嚇手段による威嚇動作の何れかを行わせることができる。また留守モードにおいて人感センサ１１が人体を検知すると、信号処理部１３が、照明負荷２や感熱自動スイッチ１に設けた動作表示灯１６を点滅させるとともに、警報音発生部１７から警報音を発生させ、さらに無電圧接点１５を用いて接点信号を外部に送出することで外部の威嚇装置による威嚇動作を行わせており、複数の威嚇動作を組み合わせて行うことにより、周囲の明るさに紛れて照明負荷２の点滅が目立ち難い場合でも、不審者を威嚇する効果を高めることができる。
【００４１】
なお留守モードにおいて、人感センサ１１の人体検知信号が入力されてから、信号処理部１３が威嚇動作を行わせるまでの間に所定の遅れ時間（例えば１分間）を設けても良く、家人が外出したり帰宅する場合は上記の遅れ時間が経過するまでの間に玄関の鍵をかけて外出するか、又は、玄関の鍵を開けて宅内に入ることによって、威嚇動作が行われるのを防止することができ、人感センサ１１の検知エリア内に上記遅れ時間を超えて長時間留まっている不審者のみに威嚇動作を行うようにできる。
【００４２】
例えば明るさセンサ１２の検出照度が所定の基準値よりも明るい期間（昼間）では、信号処理部１３は、人体検知信号が入力されてから上記の遅れ時間が経過するまでの間、威嚇動作を行わず、人感センサ１１からの人体検知信号が上記の遅れ時間以上入力されると、威嚇動作を行わせるようにすれば良く、家人に対して威嚇動作が行われるのを防止できる。また明るさセンサ１２の検出照度が所定の基準値よりも暗い期間（夜間）では、信号処理部１３は、人体検知信号が入力されてから上記の遅れ時間が経過するまでの間は、通常モードと同様に照明負荷２を点灯させる制御を行い、人感センサ１１からの人体検知信号が上記の遅れ時間以上継続して入力されると、上記の威嚇動作を行わせるようにすれば良く、家人が帰宅したり外出する場合は上記の遅れ時間が経過するまでの間照明負荷２を点灯させることにより、鍵の解錠又は施錠に必要な明かりを確保でき、且つ、上記遅れ時間が経過した時点で威嚇動作を行うことにより、不審者が玄関前に上記の遅れ時間を超えて長時間留まっている場合には威嚇動作を行って、不審者を威嚇することができる。
【００４３】
また本実施形態では留守モード設定スイッチ４の操作ハンドル３３に透明部３３ｂを設け、この透明部３３ｂを通してネームカードの文字を視認できるようになっているので、留守モード設定スイッチ４の用途を容易に確認することができる。さらに留守モード設定スイッチ４の操作ハンドル３３を押操作して、感熱自動スイッチ１の動作モードを留守モードに切り替えた場合に、操作ハンドル３３の窓孔３３ａから露出する表示部材３４の表示が切り替わり、窓孔３３ａを通して「留守モード」との文字が視認できるので、留守モードに切り換えられたことを容易に視認できる。ここに、透明部３３ｂの裏側に配置されたネームカードや表示部材３４などから、留守モードの切替用であることを示す表示手段が構成される。
【００４４】
ところで、最近は宅内への侵入を企図している人物が、訪問販売員などを装って宅内に入り下見を行う場合があるが、その際に留守モード設定スイッチ４の操作ハンドル３３の表示から、照明負荷２などを用いた威嚇動作が設定されていることを知られてしまう可能性があるため、図３（ｂ）に示すように操作ハンドル３３の表示を無くして、操作ハンドル３３の色を一般的な配線器具に用いられる色（例えば白色や灰色など）と異なる色（例えば黄色、赤色、橙色などの注意を喚起するような色）とすることで、家人だけが留守モードの設定用と識別できるようにしても良い。この場合は、操作ハンドル３３自体が留守モードの切替用であることを示す表示手段となる。また、留守モード又は通常モードの設定時に操作ハンドル３３の窓孔３３ａから露出する表示部材３４の部位にそれぞれ「入」「切」の文字を表示させておけば、外部の人間には判らないが、家人には、表示部材３４の表示から、現在の動作モードが通常モードか留守モードかを容易に把握することができる。
【００４５】
（実施形態２）
本発明の実施形態２を図５〜図７に基づいて説明する。上述した実施形態１の感熱自動スイッチ１では、モード切替端子Ｔ５，Ｔ６間に留守モード設定スイッチ４を接続しているのに対して、本実施形態では図５に示すように、感熱自動スイッチ１のモード切替端子Ｔ５，Ｔ６間に留守モード設定スイッチ４を介して商用電源ＡＣを接続している。尚、留守モード設定スイッチ４の接続形態以外は実施形態１と同様であるので、共通する構成要素には同一の符号を付してその説明は省略する。
【００４６】
上述の実施形態１では留守モード設定スイッチ４によりモード切替端子Ｔ５，Ｔ６間を短絡又は開放することで動作モードを切り替えているため、個々の感熱自動スイッチ１の端子Ｔ５，Ｔ６間に別個の留守モード設定スイッチ４を接続する必要があり、１つの留守モード設定スイッチ４で１箇所の感熱自動スイッチ１の動作モードしか切り替えることができなかった。
【００４７】
それに対して本実施形態では、留守モード設定スイッチ４の導通時にモード切替端子Ｔ５，Ｔ６間に電圧信号（商用電源ＡＣの電源電圧）を印加するようになっているので、複数台の感熱自動スイッチ１のモード切替端子Ｔ５，Ｔ６間に同一の留守モード設定スイッチ４を介して商用電源ＡＣを接続することができ、１つの留守モード設定スイッチ４で複数箇所の感熱自動スイッチ１の動作モードを切り替えることができ、動作モードを切り替える手間を少なくできる。
【００４８】
また本実施形態では、動作モードを留守モードに切り替えた場合に、留守モード設定スイッチ４に電流が流れるので、図６に示すように留守モード設定スイッチ４の接点部４１と直列にカレントトランス４２の一次巻線を接続し、カレントトランス４２の二次側に発生する電圧を点灯回路４３により整流、平滑して直流電圧に変換し、発光ダイオードやＥＬ素子などの点灯表示ランプ４４に印加して点灯表示ランプ４４を点灯させるようにしても良い。
【００４９】
点灯表示ランプ４４は、留守モード設定スイッチ４の器体前面に配置されるとともに、器体前面に回動自在に取着された操作ハンドル３３には点灯表示ランプ４４に対向する部位に、点灯表示ランプ４４の発光を透過させる透過部３５を設けてあり（図７参照）、この透過部３５には例えば「留守モード」との文字が印刷などの方法で表示され、点灯表示手段たる点灯表示ランプ４４の点灯時には「留守モード」の文字が浮かび上がって目視可能となり、点灯表示ランプ４４の消灯時には留守モードの文字が目視できないようになっている。
【００５０】
したがって、留守モードの設定時には点灯表示ランプ４４が点灯して、透過部３５の「留守モード」なる文字が視認可能になるから、留守モードに設定されていることを容易に把握でき、また留守モードを解除した場合（通常モードで動作中）は、透過部３５の「留守モード」なる文字が視認できなくなるから、家人の在宅時（つまり留守モードの解除時）に不審者が訪問販売員などを装って宅内に入り下見を行ったとしても、留守モード設定スイッチ４により留守モードの設定が行えることを外部の人間に判りにくくできる。
【００５１】
（実施形態３）
本発明の実施形態３を図８〜図１３に基づいて説明する。上述の実施形態２では感熱自動スイッチ１のモード切替端子Ｔ５，Ｔ６間に留守モード設定スイッチ４を接続しているのに対して、本実施形態では、図８に示すように感熱自動スイッチ１のモード切替端子Ｔ５，Ｔ６間に、予め設定された時間帯にモード切替信号を出力する外部タイマ５を接続してある。なお外部タイマ５以外の構成および動作は実施形態１又は２と同様であるので、共通する構成要素には同一の符号を付して、その説明は省略する。
【００５２】
外部タイマ５は、図８のブロック図に示すように、後述の信号処理部５１によってオン／オフが制御され、カレントトランス５３の一次巻線を介して感熱自動スイッチ１のモード切替端子Ｔ５と商用電源ＡＣとの間に接続されるトライアック５２と、留守モードで動作する時間帯を設定するタイマ時刻設定部５４と、タイマ時刻設定部５４を用いて設定された時間帯に動作モードを留守モードに切り換えるモード切替信号を出力するタイマ回路部５５と、押操作に応じて動作モードを留守モード又は通常モードに交互に切り替えるための手動操作部５６と、タイマ回路部５５から入力されたモード切替信号に応じてトライアック５２を閉極させるとともに、手動操作部５６が押操作される毎にトライアック５２の開閉状態を強制的に反転させる信号処理部５１と、動作状態を表示するための動作表示灯５７と、カレントトランス５３の二次側に発生する電圧を整流、平滑して内部の動作電源を得る電源回路５８とを備えている。なお、留守モードの設定時間以外ではトライアック５２に僅かに電流を流して、電源回路５８により内部の動作電源を得るようにしているが、トライアック５２のゲートにトリガ信号を与える回路（図示せず）に流れる電流から動作電源を得るようにしても良い。
【００５３】
外部タイマ５の器体６１は、図１１（ａ）に示すように埋込型配線器具の単位寸法と略同じ寸法に形成され、左右の両側面には上述した取付枠３０の枠片３０ａに設けた器具取付孔（図示せず）に係止される各一対の係止爪６２が突設されている。そして、器体６１前面の右側部には、上下方向の中央部に手動操作部５６の押釦５６ａが、上下方向の上側部に時刻表示のための７セグメントＬＥＤからなる表示部５４ａがそれぞれ配置され、さらに上下方向の下側部には、現在時刻設定用の押釦５４ｂと、開始時刻設定用の押釦５４ｃと、終了時刻設定用の押釦５４ｄとがそれぞれ配置されており、表示部５４ａの表示を見ながら各押釦５４ｂ〜５４ｄを操作することで、現在時刻や開始時刻や終了時刻の設定が行えるようになっている。また、器体６１前面の左側部には、例えば発光ダイオードからなる動作表示灯５７の発光部が配置されるとともに、後述のハンドル本体６５を枢着するために斜め前方に突出する一対の軸部６３が一体に突設してある（図１０（ａ）参照）。
【００５４】
ハンドル本体６５は、図９、図１０及び図１１（ｂ）に示すように合成樹脂により矩形板状に形成されており、前面の左端部には前方に突出する突台部６６が突設され、突台部６６以外の部位は突台部６６よりも薄肉の薄肉部６７となっている。そして、ハンドル本体６５の背面には、器体６１の軸部６３に対応する部位に軸受部６５ａを設けてあり、一対の軸部６３を軸受部６５ａに回動自在に嵌め込むことで、器体６１の前面の略全体を覆う形で、器体６１の前面側に回動自在に枢着されている。またハンドル本体６５背面の右端部には、器体６１の前面に設けた係止孔６４に挿入される係止爪片６５ｂが突設されており、係止爪片６５ｂの先端の爪が係止孔６４の孔縁に係止することで、ハンドル本体６５の抜け止めを行っている（図１０（ｂ）参照）。またハンドル本体６５の薄肉部６７には、表示部５４ａに対応する部位に窓孔６７ａを形成するとともに、手動操作部５６の押釦５６ａや時刻設定用の押釦５４ｂ〜５４ｄを挿通させる挿通孔６７ｂが形成されている。またハンドル本体６５の突台部６６には、動作表示灯５７の発光部に対向する部位に貫通孔６６ａが形成され、ハンドル本体６５の背面に取着された導光部材６８の突出部が貫通孔６６ａ内に嵌め込まれ、導光部材６８を介して動作表示灯５７の発光を視認できるようになっている。
【００５５】
またハンドル本体６５には、薄肉部６７に設けた窓孔６７ａおよび挿通孔６７ｂからなる開口（つまり、タイマ時刻設定部５４を構成する表示部５４ａや押釦５４ｂ〜５４ｄおよび手動操作部５６の押釦５６ａ）を開閉自在に覆うハンドルカバー６９が取着されている。ハンドルカバー６９は矩形板状の合成樹脂成形品からなり、左右方向及び上下方向の寸法がそれぞれ薄肉部６７の左右方向及び上下方向の寸法と略同じ寸法に形成された主部６９ａと、主部６９ａの左側部の上下両端部から側方（左側）に突出する一対の腕部６９ｂとを有し、各腕部６９ｂの先端部には突台部６６の上下両側面に設けた軸穴（図示せず）に枢支される軸６９ｃが突設されている。また、主部６９ａの前面の右側部には操作位置を示す突起６９ｄが突設され、右側の側面には開閉時に爪で引っ掛けるための引掛爪６９ｅが突設されている。
【００５６】
而して、外部タイマ５の器体６１にハンドル本体６５およびハンドルカバー６９からなる操作ハンドルを取り付けるに当たっては、先ずハンドル本体６５の突台部６６に設けた軸穴に、ハンドルカバー６９の両腕部６９ｂの軸６９ｃを係合させることで、ハンドルカバー６９をハンドル本体６５に対して回動自在に軸支させる（図１０（ａ）参照）。次に、ハンドル本体６５背面の係止爪片６５ｂを器体６１の係止孔６４に挿入するとともに、ハンドル本体６５背面の軸受部６５ａに器体６１の軸部６３を嵌め込むと、ハンドル本体６５が器体６１の前面に回動自在に取着される。この時、器体６１の前面に配置した表示部５４ａは、ハンドル本体６５の窓孔６７ａを通して前面側に露出するとともに、手動操作部５６の押釦５６ａや時刻設定用の押釦５４ｂ〜５４ｄがハンドル本体６５の挿通孔６７ｂ内に挿通されて、各押釦５６ａ，５４ｂ〜５４ｄの押操作が行えるようになっている。
【００５７】
ここで、図９（ｂ）及び図１０（ｂ）に示すように開口（窓孔６７ａおよび挿通孔６７ｂ）を露出させる位置までハンドルカバー６９を回転させた状態では、窓孔６７ａを通して表示部５４ａの表示を視認でき、また挿通孔６７ｂを通して手動操作部５６の押釦５６ａや時刻設定用の押釦５４ｂ〜５４ｄの押操作が行えるので、強制的に留守モード又は通常モードに切り換える操作や、現在時刻或いは留守モードで動作させる時間帯（開始時刻および終了時刻）の設定を行うことができる。
【００５８】
また、図９（ａ）及び図１０（ｃ）に示すように開口（窓孔６７ａおよび挿通孔６７ｂ）を覆う位置までハンドルカバー６９を回転させた状態では、表示部５４ａや時刻設定用の押釦５４ｂ〜５４ｄや手動操作部５６の押釦５６ａがハンドルカバー６９によって隠され、外観上は一般のスイッチと見分けがつかなくなるので、家人の在宅時に不審者が訪問販売員などを装って宅内に入り下見を行ったとしても、予め設定された時間帯に留守モードに移行させるための外部タイマ５が設置されていることを外部の人間に判りにくくできる。
【００５９】
次に本実施形態の動作を図１２のタイムチャートに基づいて説明する。手動操作部５６の押釦５６ａは、ハンドルカバー６９を開いた状態では直接押操作でき、ハンドルカバー６９を閉じた状態ではハンドルカバー６９を押操作することによってハンドル本体６５が回動し、ハンドルカバー６９の裏面に設けた突起（図示せず）で押釦５６ａを押動できるようになっており、時刻ｔ１で手動操作部５６の押釦５６ａが押操作されると、信号処理部５１が手動操作部５６からの操作入力に応じてトライアック５２をオン状態に切り替えるとともに、動作表示灯５７を点灯させる。トライアック５２がオン状態になると、感熱自動スイッチ１のモード切替端子Ｔ５，Ｔ６間に商用電源ＡＣが接続されるので、感熱自動スイッチ１の動作モードが通常モードから留守モードに切り換わる。
【００６０】
また時刻ｔ２において手動操作部５６の押釦５６ａが押操作されると、信号処理部５１が手動操作部５６からの操作入力に応じてトライアック５２をオフ状態に切り替えるとともに、動作表示灯５７を消灯させる。トライアック５２がオフ状態になると、感熱自動スイッチ１のモード切替端子Ｔ５，Ｔ６間に電圧が印加されなくなり、感熱自動スイッチ１の動作モードが留守モードから通常モードに切り換わる。
【００６１】
その後、タイマ時刻設定部５４により設定された開始時刻ｔ３になると、タイマ回路部５５から留守モードの設定信号が出力され、信号処理部５１が、タイマ回路部５５から入力された設定信号に基づいてトライアック５２をターンオンさせて、感熱自動スイッチ１の動作モードを留守モードに切り替えるとともに、動作表示灯５７を点灯させる。またタイマ回路部５５から留守モードの設定信号が出力される間も、手動操作部５６の押釦５６ａが押操作されると、信号処理部５１は手動操作部５６からの操作入力に基づいてトライアック５２の開閉状態を強制的に反転させ、感熱自動スイッチ１の動作モードを通常モード又は留守モードに交互に反転させる（時刻ｔ４〜ｔ７）。また信号処理部５１は、留守モードの設定時に動作表示灯５７を点灯させる。
【００６２】
そして、タイマ時刻設定部５４により設定された終了時刻ｔ８になると、タイマ回路部５５から留守モードの解除信号が出力され、信号処理部５１が、タイマ回路部５５から入力された解除信号に基づいてトライアック５２をターンオフさせ、感熱自動スイッチ１の動作モードを通常モードに反転させるとともに、動作表示灯５７を消灯させる。
【００６３】
このように本実施形態では外部タイマ５により、予め設定された設定時刻にモード切替信号を出力して、感熱自動スイッチ１の動作モードを留守モード又は通常モードに切り換えているから、上述した実施形態１、２のように使用者が感熱自動スイッチ１の動作モードをその都度留守モードに切り換える操作を行う必要が無く、予め設定された時間帯に留守モードで動作させることができるので、使い勝手を向上させることができる。またハンドルカバー６９の開閉状態に関係なく手動操作部５６の押操作を行うことができ、手動操作部５６の押操作に応じて感熱自動スイッチ１の動作モードを通常モード又は留守モードに交互に切り替えることができる。また信号処理部５１では、感熱自動スイッチ１の動作モードを留守モードに切り換える間、動作表示灯５７を点灯させているので、使用者は動作表示灯５７の点灯状態から現在の動作モードを容易に把握することができる。
【００６４】
なお本実施形態では、ハンドル本体６５に手動操作部５６の押釦５６ａを露出させる挿通孔６７ｂを形成しているので、ハンドルカバー６９を開いた状態では、押釦５６ａを直接押操作できるようになっているが、図１３（ａ）（ｂ）に示すように押釦５６ａを露出させる挿通孔６７ｂを無くして、ハンドル本体６５の回動時にハンドル本体６５の裏面の突起で押釦５６ａを押動するようにしても良い。
【００６５】
（実施形態４）
本発明の実施形態４を図１４〜図１６に基づいて説明する。上述の実施形態１、２では留守モード設定スイッチ４を用いて感熱自動スイッチ１の動作モードの設定のみを行っているのに対して、本実施形態では留守モード設定スイッチ４を用いて他の負荷（例えば照明負荷）のオン／オフを行えるようにしている。なお、留守モード設定スイッチ４以外の構成および動作は実施形態１又は２と同様であるので、共通する構成要素には同一の符号を付して、その説明は省略する。
【００６６】
本実施形態の留守モード設定スイッチ４は、図１６に示すように感熱自動スイッチ１の動作モードを切り替えるためのオルタネイト型の押釦スイッチからなる接点部４１（第１の押釦スイッチ）と、接点部４１と直列に一次巻線が接続されたカレントトランス４２と、発光ダイオードやＥＬ素子などからなり留守モードの設定時に点灯する点灯表示ランプ４４と、カレントトランス４２の二次側に発生する電圧を整流、平滑して得た直流電圧を点灯表示ランプ４４に印加して点灯させる点灯回路４３と、他の負荷（例えば照明負荷）のオン／オフに用いるオルタネイト型の押釦スイッチからなる接点部４５（第２の押釦スイッチ）と、接点部４５のオフ時に通電されて点灯するネオンランプのような表示ランプ４８とを備えている。
【００６７】
また留守モード設定スイッチ４の器体４６は、図１５（ａ）に示すように埋込型配線器具の単位寸法と略同じ寸法に形成され、左右の両側面には上述した取付枠３０の枠片３０ａに設けた器具取付孔（図示せず）に係止される各一対の係止爪４６ａが突設されている。そして、器体４６前面の右側部には、各接点部４１，４５の押釦４１ａ，４５ａと点灯表示ランプ４４の発光部とが左右に並べて配置されている。また、器体４６前面の左側部には、表示ランプ４８の発光部が配置されるとともに、後述のハンドル本体７０を枢着するために斜め前方に突出する一対の軸部４７が一体に突設してある。
【００６８】
ハンドル本体７０は、図１４及び図１５（ｂ）に示すように合成樹脂により矩形板状に形成されており、前面の左端部には前方に突出する突台部７１が突設され、突台部７１以外の部位は突台部７１よりも薄肉の薄肉部７２となっている。そして、ハンドル本体６５の背面には、器体４６の軸部４７に対応する部位に軸受部７０ａを設けてあり、一対の軸部４７を軸受部７０ａに回動自在に嵌め込むことで、器体４６の前面の略全体を覆う形で、器体４６の前面側に回動自在に枢着されている。またハンドル本体６５背面の右端部には、器体４６の前面に設けた係止孔４６ｂに挿入される係止爪片７０ｂが突設されており、係止爪片７０ｂの先端の爪が係止孔４６ｂの孔縁に係止することで、ハンドル本体７０の抜け止めを行っている。
【００６９】
またハンドル本体７０の薄肉部７２には、押釦４１ａに対応する部位に押釦４１ａを挿通させる挿通孔７０ｃが形成されるとともに、押釦４５ａに対応する部位に押釦４５ａを押動するための押突起７０ｄが突設され、さらに点灯表示ランプ４４に対応する部位に透光部７０ｅを設けてある。またハンドル本体７０の突台部７１には、表示ランプ４８の発光部に対向する部位に貫通孔７１ａが形成されており、ハンドル本体７０の背面に取着された導光部材７３の突出部７３ａが貫通孔７１ａ内に嵌め込まれ、導光部材７３を介して表示ランプ４８の発光を視認できるようになっている。
【００７０】
またハンドル本体７０には、薄肉部７２に設けた挿通孔７０ｃ（つまり押釦４５ａ）および点灯表示ランプ４４を開閉自在に覆うハンドルカバー７４が取着されている。ハンドルカバー７４は矩形板状の合成樹脂成形品からなり、左右方向及び上下方向の寸法がそれぞれ薄肉部７２の左右方向及び上下方向の寸法と略同じ寸法に形成された主部７４ａと、主部７４ａの左側部の上下両端部から側方（左側）に突出する一対の腕部７４ｂとを有し、各腕部７４ｂの先端部には突台部７１の上下両側面に設けた軸穴（図示せず）に枢支される軸（図示せず）が突設されている。
【００７１】
而して、留守モード設定スイッチ４の器体４６にハンドル本体７０およびハンドルカバー７４からなる操作ハンドルを取り付けるに当たっては、先ずハンドル本体７０の突台部７１に設けた軸穴に、ハンドルカバー７４の両腕部７４ｂの軸を係合させることで、ハンドルカバー７４をハンドル本体７０に対して回動自在に軸支させる。次に、ハンドル本体７０背面の係止爪片７０ｂを器体４６の係止孔４６ｂに挿入するとともに、ハンドル本体７０背面の軸受部７０ａに器体４６の軸部４７を嵌め込むと、ハンドル本体７０が器体４６の前面に回動自在に取着される。この時、器体４６の前面に配置した押釦４１ａがハンドル本体７０の挿通孔７０ｃ内に挿通されて、押釦４１ａの押操作が行えるとともに、表示ランプ４４，４８の発光部が透光部７０ｅおよび導光部材７３にそれぞれ対向し、表示ランプ４４，４８の発光を外部より視認できるようになっている。またハンドル本体７０背面の押突起７０ｄが押釦４５ａに対向して配置されている。
【００７２】
ここで、図１４（ｂ）に示すようにハンドルカバー７４を開いた状態では接点部４１の押釦４１ａや点灯表示ランプ４４の発光部が露出するので、押釦４１ａの押操作に応じて感熱自動スイッチ１の動作モードを通常モード又は留守モードに交互に切り替えることができる。そして、留守モードの設定時には、接点部４１に流れる電流により点灯表示ランプ４４が発光するので、点灯表示ランプ４４の点灯状態から感熱自動スイッチ１の動作モードを容易に把握することができる。
【００７３】
一方、図１４（ａ）に示すようにハンドルカバー７４を閉じた状態では、接点部４１の押釦４１ａや点灯表示ランプ４４の発光部がハンドルカバー７４によって隠され、外観上は一般のスイッチと見分けがつかなくなるので、家人の在宅時に不審者が訪問販売員などを装って宅内に入り下見を行ったとしても、留守モードの設定を行う留守モード設定スイッチ４が設置されていることを外部の人間に判りにくくできる。
【００７４】
またハンドルカバー７４の開閉状態に関係なく、ハンドル本体７０を押操作すると、ハンドル本体７０が軸部４７を中心に回動して、ハンドル本体７０背面の押突起７０ｄにより接点部４５の押釦４５ａが押動されるので、接点部４５をオン／オフさせて、他の負荷への電源供給を入切することができる。
【００７５】
（実施形態５）
本発明の実施形態５を図１７及び図１８に基づいて説明する。上述の実施形態１、２では留守モード設定スイッチ４とは別に制御モード切替スイッチ３を設けているのに対して、本実施形態では留守モード設定スイッチ４により、制御モードを「切モード」「自動モード」「連続モード」の何れかに切り替える操作と、自動モードにおいて動作モードを「留守モード」又は「通常モード」に切り替える操作とを行えるようにしている。なお、留守モード設定スイッチ４以外の構成および動作は実施形態１又は２と同様であるので、共通する構成要素には同一の符号を付して、その説明は省略する。
【００７６】
本実施形態の留守モード設定スイッチ４は、図１８に示すように感熱自動スイッチ１の動作モードを切り替えるためのオルタネイト型の押釦スイッチからなる接点部４１と、接点部４１と直列に一次巻線が接続されたカレントトランス４２と、発光ダイオードやＥＬ素子などからなり留守モードの設定時に点灯する点灯表示ランプ４４と、カレントトランス４２の二次側に発生する電圧を整流、平滑して得た直流電圧を点灯表示ランプ４４に印加して点灯させる点灯回路４３と、共通接点が照明負荷２に接続されるとともに、３つの切替接点の内の１つが感熱自動スイッチ１の端子Ｔ４に、他の１つが商用電源ＡＣに接続されて、残りの１つが開放された接点部３１と、照明負荷２の制御モードを切り替えるためのモーメンタリ型の押釦スイッチ３６と、押釦スイッチ３６の押操作に応じて接点部３１を切り替える接点切替部３７とを備えている。
【００７７】
図１７（ａ）（ｂ）は本実施形態の留守モード設定スイッチ４を取付枠３０に取り付けた状態の正面図であり、器体４６に取着されるハンドル本体７０およびハンドルカバー７４の大きさを３個モジュールの配線器具に対応した大きさに形成した点以外は実施形態４で説明した留守モード設定スイッチ４と略同様であるので、共通する構成要素には同一の符号を付して、図示および説明は省略する。
【００７８】
留守モード設定スイッチ４の器体４６前面には、実施形態４と同様に接点部４１の押釦４１ａと押釦スイッチ３６の押釦（図示せず）と点灯表示ランプ４４の発光部とを配置してある。なお点灯表示ランプ４４の発光部は器体４６の左側部に配置してある。
【００７９】
一方、ハンドル本体７０には、接点部４１の押釦４１ａに対応する部位に、押釦４１ａを挿通させる挿通孔７０ｃを貫設してある。またハンドル本体７０の背面には、押釦スイッチ３６の押釦と対向する部位に、押釦スイッチ３６の押釦を押動する押突起（図示せず）を設けてある。またハンドル本体７０の突台部７１には、点灯表示ランプ４４の発光部に対向する部位に貫通孔７１ａが形成されており、ハンドル本体７０の背面に取着された導光部材７３の突出部７３ａが貫通孔７１ａ内に嵌め込まれ、導光部材７３を介して点灯表示ランプ４４の発光を視認できるようになっている。
【００８０】
ここで、図１７（ｂ）に示すようにハンドルカバー７４を開いた状態では接点部４１の押釦４１ａが露出するので、押釦４１ａの押操作に応じて感熱自動スイッチ１の動作モードを通常モード又は留守モードに交互に切り替えることができる。そして、留守モードの設定時には、接点部４１に流れる電流により点灯表示ランプ４４が発光するので、点灯表示ランプ４４が点灯しているか否かで、自動モードにおける動作モードが通常モード又は留守モードの何れのモードかを容易に把握することができる。
【００８１】
一方、図１７（ａ）に示すようにハンドルカバー７４を閉じた状態では、接点部４１の押釦４１ａがハンドルカバー７４によって隠され、外観上は一般のスイッチと見分けがつかなくなるので、家人の在宅時に不審者が訪問販売員などを装って宅内に入り下見を行ったとしても、留守モードの設定を行う留守モード設定スイッチ４が設置されていることを外部の人間に判りにくくできる。
【００８２】
またハンドルカバー７４の開閉状態に関係なく、ハンドル本体７０を押操作すると、ハンドル本体７０が軸部４７を中心に回動して、ハンドル本体７０背面の押突起により押釦スイッチ３６の押釦が押動されるので、押釦スイッチ３６の操作入力が接点切替部３７に与えられる。ここで、接点切替部３７では、押釦スイッチ３６が押操作される毎に、接点部３１を「切モード」又は「連続モード」の切替位置に交互に切り替えており、照明負荷２を消灯させる状態と、照明負荷２を連続点灯させる状態とを交互に切り替えている。また、ハンドル本体７０を所定時間内に２回連続押しする操作（所謂ワン・ツー操作）が行われると、押釦スイッチ３６から接点切替部３７に対して操作入力が所定時間内に２回連続して与えられるので、接点切替部３７では、接点部３１を「自動モード」の切替位置に切り替えることで、照明負荷２の制御モードを「自動モード」に切り替えている。また自動モードに設定されている状態で、ハンドル本体７０が１回操作されると、押釦スイッチ３６から接点切替部３７に対して操作入力が与えられて、接点切替部３７が、接点部３１を「切モード」の切替位置に切り替えるようになっており、１台の留守モード設定スイッチ４により制御モードの切替操作と自動モードにおける動作モードの切替操作の両方を行うことができる。
【００８３】
なおハンドル本体７０の押操作による制御モードの切替順序は上記の順番に限定されるものではなく、例えばハンドル本体７０を１回操作する毎に制御モードが「切モード」又は「自動モード」に交互に切り替わり、上記のワン・ツー操作を行うことで「連続モード」に切り替えるようにしても良い。
【００８４】
（実施形態６）
本発明の実施形態６を図１９〜図２１に基づいて説明する。尚、感熱自動スイッチ１の構成は上述した実施形態１の感熱自動スイッチ１と同様であるので、共通する構成要素には同一の符号を付して、その説明は省略する。
【００８５】
上述した各実施形態の感熱自動スイッチ１では、留守モードの設定中に人感センサ１１が人体を検知すると、信号処理部１３が人感センサ１１から入力される人体検知信号に基づいて、実施形態１で説明した威嚇動作（照明負荷２の点滅）を行わせるのであるが、周囲が明るい昼間に留守モードで動作する場合、太陽光に含まれる遠赤外線などの外来ノイズが多く存在し、外来ノイズの影響を受けて人感センサ１１の誤検出が発生する可能性がある。一方、夜間に通常モードや留守モードで動作する場合は、検知エリア内の人物を早めに検出して照明負荷２を点灯させることが好ましい。
【００８６】
そこで、本実施形態では誤検出抑制手段たる信号処理部１３が、周囲の明るさに応じて人感センサ１１の検知感度を高低２段階に切り替えるようにしている。図１９は人感センサ１１の検出出力を示し、信号処理部１３では、人感センサ１１の検出出力が所定の閾値を超えると、人体検知信号が入力されたと判断しており、上記の閾値を明るさに応じて変化させることで、人感センサ１１の検知感度を変化させている。すなわち、明るさセンサ１２の検出照度が所定の基準値よりも暗い夜間には、信号処理部１３が検出出力の閾値をｔｈ１として、人感センサ１１の感度を高感度に設定する。一方、明るさセンサ１２の検出照度が所定の基準値よりも明るい昼間には、信号処理部１３が検出出力の閾値を夜間の閾値ｔｈ１よりも高い値ｔｈ２に切り替えて、人感センサ１１の感度を夜間よりも低感度に切り替えることで、外来ノイズなどによる人感センサ１１の誤検出を防止している。
【００８７】
なお本実施形態では、明るさセンサ１２の検出照度が所定の基準値よりも明るい場合は、検出照度が基準値よりも暗い場合に比べて人感センサ１１の検知感度を低下させることで、昼光などの外来ノイズによる人感センサ１１の誤報を抑制しているが、留守モードにおいて明るさセンサ１２の検出照度が所定の基準値よりも明るい場合には、誤検出抑制手段たる信号処理部１３が、人感センサ１１から人体検知信号が所定回数以上入力されるという条件が成立した時点で威嚇動作を行わせるようにすることで誤検出を抑制しても良い。図２０（ａ）は人感センサ１１の検出出力を示しており、人感センサ１１の検出出力が所定の閾値ｔｈ１を超えると、信号処理部１３が人体検知信号を発生する（図２０（ｂ）参照）。ここで、図２０（ｃ）は通常モードにおいて照明負荷２が点灯される期間を示しており、信号処理部１３では人体検知信号が１回入力されると、すぐに出力駆動部１４により照明負荷２を点灯させているので、夜間に照明が必要な場合には照明負荷２を短時間で点灯させることができる。また、図２０（ｄ）は留守モードにおいて明るさセンサ１２の検出照度が所定の基準値よりも明るい場合の動作を示しており、信号処理部１３では人体検知信号が所定回数（例えば３回）入力されるという条件が成立した時点で、出力駆動部１４により照明負荷２を点滅させるなどして威嚇動作を行わせている。而して、人体検知信号が所定回数以上入力されない場合は、信号処理部１３が出力駆動部１４による威嚇動作を行わせないようにしているので、外来ノイズによる誤動作を抑制することができる。
【００８８】
また誤検出抑制手段たる信号処理部１３が、留守モードにおいて明るさセンサ１２の検出照度が所定の基準値よりも明るい場合に、所定時間内（例えば５秒間）に人感センサ１１から人体検知信号が所定回数以上入力されるという条件が成立した時点で威嚇動作を行わせることにより誤検出を抑制するようにしても良い（図２１参照）。すなわち、信号処理部１３では、所定時間ＴＡ内に人感センサ１１から人体検知信号が３回以上入力された時点で出力駆動部１４による威嚇動作を行わせており、例えば図２１中の時刻ｔ１１で人体検知信号が入力された場合は、時刻ｔ１１から所定時間ＴＡが経過するまでの間に人体検知信号が３回以上されないので、信号処理部１３は威嚇動作を行わせない。一方、時刻ｔ１２で人体検知信号が入力されると、時刻ｔ１２から所定時間ＴＡが経過するまでの間に人体検知信号が３回以上入力されるので、信号処理部１３は、出力駆動部１４により照明負荷２を点滅させるなどの威嚇動作を行わせる。このように所定時間内に人体検知信号が所定回数以上入力されない場合は、信号処理部１３が出力駆動部１４による威嚇動作を行わせないようにしているので、外来ノイズによる誤動作を抑制することができる。
【００８９】
（実施形態７）
本発明の実施形態７を図２２及び図２３に基づいて説明する。尚、感熱自動スイッチ１の構成は上述した実施形態１の感熱自動スイッチ１と同様であるので、共通する構成要素には同一の符号を付して、その説明は省略する。
【００９０】
上述した各実施形態の感熱自動スイッチ１では、留守モードの設定中に人感センサ１１が人体を検知すると、信号処理部１３が人感センサ１１から入力される人体検知信号に基づいて、実施形態１で説明した威嚇動作（照明負荷２の点滅）を行わせるのであるが、周囲が明るい昼間に留守モードで動作する場合、太陽光に含まれる遠赤外線などの外来ノイズが多く存在し、外来ノイズの影響を受けて人感センサ１１の誤検出が発生する可能性がある。
【００９１】
そこで、上述した各実施形態の感熱自動スイッチ１では、人感センサ１１が１つしか設けられていないのに対して、本実施形態では夜間に人体を検知するための高感度の人感センサ１１ａとは別に、検知エリアが人感センサ１１ａと同じエリアに設定され、検知感度が人感センサ１１ａよりも低感度の昼間検知用の人感センサ１１ｂを設けてあり、留守モードにおいて明るさセンサ１２の検出した周囲照度が所定の基準値よりも明るい場合は、２つの人感センサ１１ａ，１１ｂが両方共に人体検知信号を発生した場合のみ、誤検出抑制手段たる信号処理部１３が、出力駆動部１４により照明負荷２を点滅させるなどの威嚇動作を行わせるようにしている。
【００９２】
図２３（ａ）は人感センサ１１ａ，１１ｂの検出出力を示し、両センサは検知エリアが同一なので検出出力も略同じになっている。ここで、夜間検知用の人感センサ１１ａの閾値ｔｈ１に比べて、昼間検知用の人感センサ１１ｂの閾値ｔｈ２を高い値に設定してあるので、人感センサ１１ｂは人感センサ１１ａに比べて低感度になる（同図（ｂ）（ｃ）参照）。そして、信号処理部１３では、同図（ｄ）のように両方の人感センサ１１ａ，１１ｂから人体検知信号が入力された場合のみ、出力駆動部１４により照明負荷２を点滅させるなどして威嚇動作を行わせており、高感度の人感センサ１１ａのみから人体検知信号が入力された場合には威嚇動作を行わないようにしているので、太陽光などの外来ノイズにより誤動作が発生するのを防止することができる。
【００９３】
なお本実施形態では２つの人感センサ１１ａ，１１ｂを用いているが、検知感度が異なり、且つ、検知エリアが同じエリアに設定された人感センサ１１を３つ以上設け、全ての人感センサ１１が人体検知信号を発生した場合のみ威嚇動作を行わせるようにしても良い。
【００９４】
（実施形態８）
本発明の実施形態８を図２４に基づいて説明する。尚、感熱自動スイッチ１の構成は上述した実施形態１の感熱自動スイッチ１と同様であるので、共通する構成要素には同一の符号を付して、その説明は省略する。
【００９５】
上述した各実施形態の感熱自動スイッチ１では、留守モードの設定中に人感センサ１１が人体を検知すると、信号処理部１３が人感センサ１１から入力される人体検知信号に基づいて、実施形態１で説明した威嚇動作（照明負荷２の点滅など）を行わせるのであるが、周囲が明るい昼間に留守モードで動作する場合、太陽光に含まれる遠赤外線などの外来ノイズが多く存在し、外来ノイズの影響を受けて人感センサ１１の誤検出が発生する可能性がある。また人感センサ１１の検知エリア内に犬猫などの小動物が進入した場合、これらの小動物を人体と誤検知して威嚇動作が行われる可能性もある。
【００９６】
そこで、上述した各実施形態の感熱自動スイッチ１では、人感センサ１１が１つしか設けられていないのに対して、本実施形態では夜間に人体を検知するための高感度の人感センサ１１ａとは別に、検知感度が人感センサ１１ａよりも低感度の昼間検知用の人感センサ１１ｂを設けてある。これら２つの人感センサ１１ａ，１１ｂは、図２４（ａ）に示すように人体Ａに対応した高さ位置では各々の検知エリアが重なると共に、同図（ｂ）に示すように人体Ａよりも背の低い小動物Ｂに対応した高さ位置では各々の検知エリアが重ならないように検知エリアが設定されている。そして、留守モードにおいて明るさセンサ１２の検出した周囲照度が所定の基準値よりも明るい場合は、２つの人感センサ１１ａ，１１ｂが両方共に人体検知信号を発生した場合のみ、誤検出抑制手段たる信号処理部１３が、出力駆動部１４により照明負荷２を点滅させるなどの威嚇動作を行わせるようにしている。
【００９７】
而して、信号処理部１３は、高感度の人感センサ１１ａのみから人体検知信号が入力された場合には威嚇動作を行わないようにしているので、太陽光などの外来ノイズにより誤動作が発生するのを防止することができる。また、人体Ａが検知エリア内に進入した場合は両方の人感センサ１１ａ，１１ｂから人体検知信号が入力されるのに対して、人体Ａよりも背の低い小動物が検知エリア内に進入した場合は一方の人感センサ１１ａのみから人体検知信号が入力されるので、この場合には信号処理部１３が威嚇動作を行わせないことにより、小動物の誤検知により誤動作が発生するのを防止することができる。
【００９８】
なお本実施形態では２つの人感センサ１１ａ，１１ｂを用いているが、検知感度が異なり、且つ、人間と小動物とで検知エリアが互いに重ならないように設定された人感センサ１１を３つ以上設け、全ての人感センサ１１が人体検知信号を発生した場合のみ威嚇動作を行わせるようにしても良い。
【００９９】
また、本発明の精神と範囲に反することなしに、広範に異なる実施形態を構成することができることは明白なので、この発明は、特定の実施形態に制約されるものではない。
【図面の簡単な説明】
【０１００】
【図１】実施形態１の感熱自動スイッチのブロック図である。
【図２】（ａ）は壁取付型の感熱自動スイッチの外観斜視図、（ｂ）は天井取付型の感熱自動スイッチの外観斜視図である。
【図３】（ａ）（ｂ）は同上に用いる制御モード切替スイッチと留守モード設定スイッチとを取付枠に取り付けた状態の正面図である。
【図４】同上の使用状態を説明する説明図である。
【図５】実施形態２の感熱自動スイッチを用いたシステムの配線図である。
【図６】同上の感熱自動スイッチを用いた他のシステムの配線図である。
【図７】同上の感熱自動スイッチに用いる制御モード切替スイッチと留守モード設定スイッチとを取付枠に取り付けた状態の正面図である。
【図８】実施形態３の感熱自動スイッチを用いたシステムの配線図である。
【図９】（ａ）（ｂ）は同上の感熱自動スイッチに用いる外部タイマと制御モード切替スイッチとを取付枠に取り付けた状態の正面図である。
【図１０】（ａ）〜（ｃ）は同上の感熱自動スイッチに用いる外部タイマを取付枠に取り付けた状態の下面図である。
【図１１】（ａ）は同上に用いる外部タイマからハンドル本体を外した状態の正面図、（ｂ）はハンドル本体の背面図である。
【図１２】（ａ）〜（ｃ）は同上に用いる外部タイマの動作説明図である。
【図１３】（ａ）（ｂ）は同上に用いる別の外部タイマと制御モード切替スイッチとを取付枠に取り付けた状態の正面図である。
【図１４】（ａ）（ｂ）は実施形態４の感熱自動スイッチに用いる留守モード設定スイッチと制御モード切替スイッチとを取付枠に取り付けた状態の正面図である。
【図１５】（ａ）は同上に用いる留守モード設定スイッチからハンドル本体を外した状態の正面図、（ｂ）はハンドル本体の背面図である。
【図１６】同上に用いる留守モード設定スイッチのブロック図である。
【図１７】（ａ）（ｂ）は実施形態５の感熱自動スイッチに用いる留守モード設定スイッチを取付枠に取り付けた状態の正面図である。
【図１８】同上に用いる留守モード設定スイッチのブロック図である。
【図１９】実施形態６の感熱自動スイッチの動作を説明する説明図である。
【図２０】（ａ）〜（ｄ）は同上の他の動作を説明する説明図である。
【図２１】（ａ）（ｂ）は同上のまた別の動作を説明する説明図である。
【図２２】実施形態７の感熱自動スイッチが備える人感センサの検知エリアを説明する説明図である。
【図２３】（ａ）〜（ｄ）は同上の動作を説明する説明図である。
【図２４】（ａ）（ｂ）は実施形態８の感熱自動スイッチが備える人感センサの検知エリアを説明する説明図である。
【符号の説明】
【０１０１】
１    感熱自動スイッチ
２    照明負荷
１１  人感センサ
１３  信号処理部
１６  動作表示灯
１７  警報音発生部
Ｔ５，Ｔ６  モード切替端子
【図１】
2007200046.tif 000003
【図２】
2007200046.tif 000004
【図３】
2007200046.tif 000005
【図４】
2007200046.tif 000006
【図５】
2007200046.tif 000007
【図６】
2007200046.tif 000008
【図７】
2007200046.tif 000009
【図８】
2007200046.tif 000010
【図９】
2007200046.tif 000011
【図１０】
2007200046.tif 000012
【図１１】
2007200046.tif 000013
【図１２】
2007200046.tif 000014
【図１３】
2007200046.tif 000015
【図１４】
2007200046.tif 000016
【図１５】
2007200046.tif 000017
【図１６】
2007200046.tif 000018
【図１７】
2007200046.tif 000019
【図１８】
2007200046.tif 000020
【図１９】
2007200046.tif 000021
【図２０】
2007200046.tif 000022
【図２１】
2007200046.tif 000023
【図２２】
2007200046.tif 000024
【図２３】
2007200046.tif 000025
【図２４】
2007200046.tif 000026